(57)【要約】【課題】本体最下部へ上下風向制御板を具備した空気調和機の室内ユニットにおいても、前面枠を着実に固定するとともに、生産における組立作業性を向上させること。【解決手段】前面枠４下部の固定手段として、送風装置２内部へネジ締結部３を構成して正面からネジを外す構造としたことで、前面枠４を着実に固定することができるとともに、作業性を悪化させずに空気調和の室内ユニット正面方向からの前面枠４の脱着を可能とし、サービス・工事時においてもサービス・工事性が向上する。【選択図】図１
2010249347.tif 000002
【特許請求の範囲】
【請求項１】
本体最下部に配置された上下送風制御板を有する送風装置と台枠前面に着脱可能な前面枠を具備し、前記前面枠はそれぞれ前記台枠及び送風装置に固定部を有し、さらに前記前面枠前面に着脱可能な前面パネルを設けた空気調和機の室内ユニットであって、前記前面枠の下部を固定するため、本体最下部を除いた送風装置内部に固定部を配置し、正面方向から固定することを特徴とする空気調和機の室内ユニット。
【請求項２】
２つ以上に分割された前面枠の少なくとも一方が切り欠かれ、その切り欠きから構造物が突出している構成を特徴とする請求項１に記載の空気調和機の室内ユニット。
【請求項３】
前面枠は送風装置からの着脱時、左右へ傾くことなく前方または上方へ取り外せる構成を特徴とする請求項１または２に記載の空気調和機の室内ユニット。
【請求項４】
前面枠の固定ネジをネジ隠蔽用部品にて隠蔽し、または、固定ネジの色や材質を送風装置と合せたことを特徴とする請求項１〜３のいずれか１項に記載の空気調和機の室内ユニット。
【発明の詳細な説明】
【技術分野】
【０００１】
本発明は空気調和機に関し、具体的には本体最下部に配置された上下送風制御板を具備する空気調和機の室内ユニットに関するものである。
【背景技術】
【０００２】
従来の空気調和機室内ユニットについて図面を参照しながら説明する。図４は従来の空気調和機の室内ユニットの斜視図である。
【０００３】
従来の空気調和機の室内ユニットは、図４および図５に示すように、台枠１、送風装置２、台枠前面に着脱可能で左右に分割された前面枠４ａおよび４ｂを具備し、前面枠４は前面枠４を台枠１に固定するためのネジ固定部３を有し、さらに前面枠４の前面には着脱可能な前面パネル５を設けている（例えば、特許文献１参照）。
【先行技術文献】
【特許文献】
【０００４】
【特許文献１】特開２００６―７１２２３号公報
【発明の概要】
【発明が解決しようとする課題】
【０００５】
しかしながら、室内ユニットの本体最下部に、上下に風向を制御する上下風向制御板を具備した空気調和機の室内ユニットにおいては、図５で示す室内ユニットの本体最下部の位置に上下風向制御板が前方に配置される。このため、当該位置には前面枠４を台枠１に固定するネジ固定部３を構成できない。また、これを解消するため、分割された前面枠４の下部固定を行うためにフック構造による固定が考案されているが、この構成においては、前面枠４が切り欠かれ、そこから構造物が突出する構造となっている場合、上記構成では、当該構造物によって制止されるため、前面枠４を左右に傾けて外すことができず前面枠４の着脱ができない。これに対応するため、本体最下面側からネジ締結を行った場合、生産時における組立作業性が悪化するという問題を有していた。
【０００６】
本発明は、上記従来の課題を解決するもので、本体最下部へ上下風向制御板を有した空気調和機の室内ユニットにおいて、正面方向から固定を行い作業性の向上を図り、さらには左右に傾けず正面方向へ前面枠を取りはずすことができる空気調和機の室内ユニットを提供することを目的とするものである。
【課題を解決するための手段】
【０００７】
従来の課題を解決するため本発明の空気調和機の室内ユニットは、本体最下部に配置された上下送風制御板を有する送風装置と台枠前面に着脱可能な前面枠を具備し、前記前面枠はそれぞれ前記台枠及び送風装置に固定部を有し、さらに前記前面枠前面に着脱可能な前面パネルを設けた空気調和機の室内ユニットであって、前記前面枠の下部を固定するため、本体最下部を除いた送風装置内部に固定部を配置し、正面方向から固定するとしたもの、これにより、確実に前面枠を固定できるとともに、生産における組立作業性を悪化させることなく、また、前面枠を左右に傾けることなく正面方向へ着脱を可能となる。
【発明の効果】
【０００８】
本発明の空気調和機の室内ユニットは、本体最下部に配置された上下風向制御板を有する送風装置を有する構成においても、送風装置の内部へ正面方向からの固定部位を設けることで、確実に前面枠を固定できるとともに、生産における組立作業性を悪化させること
なく、また、前面枠を左右に傾けることなく正面方向へ着脱を可能となる。
【図面の簡単な説明】
【０００９】
【図１】本発明の実施の形態１における空気調和機の室内ユニットの正面図
【図２】本発明の実施の形態１における前面枠の分割仕様における説明図（ａ）前面枠の固定の様子を示す詳細図（ｂ）前面枠を取り外す状態を示す図
【図３】前面枠の固定部を隠蔽する様子を示す図
【図４】従来の空気調和機の室内ユニットの斜視図
【図５】従来の空気調和機の室内ユニット左側前面枠正面図
【発明を実施するための形態】
【００１０】
第１の発明は、本体最下部に配置された上下送風制御板を有する送風装置と台枠前面に着脱可能な前面枠を具備し、前記前面枠はそれぞれ前記台枠及び送風装置に固定部を有し、さらに前記前面枠前面に着脱可能な前面パネルを設けた空気調和機の室内ユニットにおいて、前記前面枠の下部を固定するため、本体最下部を除いた送風装置内部に固定部を配置し、正面方向から固定するとしたもので、本体下部に上下風向制御板を有する場合であっても、前面枠を着実に固定することができる。
【００１１】
第２の発明は、特に、第１の発明において、２つ以上に分割された前面枠の少なくとも一方が切り欠かれ、その切り欠きから構造物が突出している構成としたもので、前面枠から突出した構成とした場合にも、前面枠を着実に固定できるとともに、前面枠の取り外しを容易に行うことができる。
【００１２】
第３の発明は、前面枠は送風装置からの着脱時、左右へ傾くことなく前方または上方へ取り外せる構成としたもので、作業性の向上を図ることができる。
【００１３】
第４の発明は、前面枠の固定ネジをネジ隠蔽用部品にて隠蔽し、または、固定ネジの色や材質を送風装置と合せることで、外観品位向上を図ることができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機の室内ユニットの正面図を示すものである。図１において、図４および図５と同じ構成要素については、同じ符号を使い説明を省略する。
【００１６】
図１において示すように、室内ユニットの台枠１の前方へ前面枠４を固定する構造となっている。さらに、本体下部には上下風向制御板６が構成されている。このような構成において、本実施の形態では送風装置２の内部に固定部３を構成することで、正面側から固定が可能な構成となる。
【００１７】
図２は、前面枠分割仕様における説明図である。図２（ａ）は室内ユニットの左側の詳細図を示しており、左右に分割された前面枠の左側前面枠４ａの一部が切り欠かれ、そこから構造物７が突出している。構造物としては、空気調和機に搭載される機能に必要な各種センサなどがある。図２（ａ）に示すように、分割仕様枠のうちの左側前面枠４ａは、送風装置２のネジ固定部３によって固定される。
【００１８】
また、この場合、図２（ｂ）の図中の矢印で示すように、前面枠４ａを左右へ傾くことなく正面方向へ着脱が可能となる。すなわち、サービス・工事時において、左側および右
側という部分に前面枠４ａ、４ｂを取り外すことができ、サービス・工事性が高い。
【００１９】
また、図３に示すように固定部位にネジを使用する場合、このネジの色を送風装置２と同様の色、または、隠蔽用部品８にて上部から隠蔽することで、外観品位についても悪化させることのない構成とすることができる。
【産業上の利用可能性】
【００２０】
以上のように、本発明にかかる空気調和機の室内ユニットは、空気調和機本体最下部に配置された上下送風制御板を有する送風装置を備えた場合にも、前面枠を確実に固定できるので、各種空調装置等に適用できる。
【符号の説明】
【００２１】
１  台枠
２  送風装置
３  ネジ固定部
４  前面枠
５  前面パネル
６  上下風向制御板
７  構造物
８  隠蔽用部品
【図１】
2010249347.tif 000003
【図２】
2010249347.tif 000004
【図３】
2010249347.tif 000005
【図４】
2010249347.tif 000006
【図５】
2010249347.tif 000007